(57)【要約】【課題】  例えば、種々の展示会における展示ブースや個室ブース、簡易休憩室、簡易個室、分煙室、或いは、例えば携帯電話などの商品販売ブース、商品陳列棚、パーティションなどの様々な用途に使用することが可能な新規な分割展開可能遮蔽構造体を提供する。【解決手段】  一つのまとまった形状を成すように組み合わせ可能な複数のピース体からなり、前記ピース体が側面パネルと該側面パネルの上端部に当接されて設けられた天蓋部材とを有し、必要に応じて分割又は展開状態に構成されるようにした。【選択図】  図１
2007231511.tif 000002
【特許請求の範囲】
【請求項１】
一つのまとまった形状を成すように組み合わせ可能な複数のピース体からなり、前記ピース体が側面パネルと該側面パネルの上端部に当接されて設けられた天蓋部材とを有し、必要に応じて分割又は展開状態に構成されることを特徴とする分割展開可能遮蔽構造体。
【請求項２】
前記一つのまとまった形状が、筒体形状であることを特徴とする請求項１記載の分割展開可能遮蔽構造体。
【請求項３】
前記筒体の上部平面形状が、円又は多角形であることを特徴とする請求項１又は２記載の分割展開可能遮蔽構造体。
【請求項４】
前記側面パネルが透明であり、前記分割展開可能遮蔽構造体の内部が外部から視認可能とされることを特徴とする請求項１〜３いずれか１項記載の分割展開可能遮蔽構造体。
【請求項５】
前記ピース体が、前記側面パネルに当接して設けられた少なくとも一つの棚板部材を有し、商品陳列棚として機能することを特徴とする請求項１〜４いずれか１項記載の分割展開可能遮蔽構造体。
【請求項６】
前記側面パネルに宣伝広告機能をもたせたことを特徴とする請求項１〜５いずれか１項記載の分割展開可能遮蔽構造体。
【請求項７】
前記分割展開可能遮蔽構造体を等分割して前記ピース体としたことを特徴とする請求項１〜６いずれか１項記載の分割展開可能遮蔽構造体。
【請求項８】
前記ピース体の下部に脚輪部材を設け、前記ピース体が移動可能とされることを特徴とする請求項１〜７いずれか１項記載の分割展開可能遮蔽構造体。
【請求項９】
前記ピース体が、回転軸部材を介して少なくともその一端が回動可能に互いに連結されてなることを特徴とする請求項１〜８いずれか１項記載の分割展開可能遮蔽構造体。
【請求項１０】
複数の前記ピース体のうちいずれかが少なくともその一端が回動可能に互いに連結されてなる基端ピース体とされ、前記ピース体のうちいずれかが少なくともその他端が回動可能に互いに連結されてなる他端ピース体とされ、前記基端ピース体及び前記他端ピース体のそれぞれ連結されない側の端部に分割展開可能遮蔽構造体を閉塞するための閉塞部材をそれぞれ設け、前記分割展開可能遮蔽構造体を閉塞可能としたことを特徴とする請求項１〜９いずれか１項記載の分割展開可能遮蔽構造体。
【発明の詳細な説明】
【技術分野】
【０００１】
本発明は、例えば、種々の展示会における展示ブースや個室ブース、簡易休憩室、簡易個室、分煙室、或いは、例えば携帯電話などの商品販売ブース、商品陳列棚、パーティションなどの様々な用途に適用可能な分割展開可能遮蔽構造体に関する。
【背景技術】
【０００２】
近年、企業の商品や地域の地場産業品の販促活動が活発になり、展示会や即売会等が催される機会が増えてきた。そうした中で各出展者は、個性を演出したり、来場者の目を引くために受付や展示等のブースとして個室型のものを用意する場合が多くなっている。
【０００３】
しかし、従来の催事会場等に仮設されるブースは、現場作業にて合板等を加工して製作したり、工場等で完成したブースをそのまま運搬してきて設置したりする場合が多かった。前者は設営に時間と労力が掛かり、撤収時に大量の廃棄物が排出される等、コスト面、環境面での問題があり、また、現場作業であるためデザイン面でも制約され、演出上の問題もあった。後者は、例えば、屋内の催事会場等に仮設する場合等のように出入り口や設置場所が狭い場合に、完成したブースをそのまま搬入することが困難乃至不可能になる等の問題があった。また、会場内でのブースの設置位置に変更が生じた場合、両者とも一旦設置した後は容易に移動することができない等の問題もあった。
【０００４】
また、組立式のブースも提案されてはいるが、その基本形態としては箱形ものであり（例えば、特許文献１等）、他の出展者との差別化を図り来場者の注目を惹起するという演出効果の上では不充分であった。
【０００５】
そこで、本願出願人は、（１）ブースの設置及び撤去に要する時間および費用が節約でき、（２）ブースの設置場所を選ばず、出入り口が狭い場合でも容易に搬入搬出でき、（３）一旦設置した後も容易にブースの移動が可能で、（４）高い演出性をもった円筒形の組立式個室型ブースを提案している（特願２００４−２５４８４３）。
【０００６】
本願出願人はさらに鋭意研究を進めた結果、ブースを分割展開して使用可能とすることで、さまざまな用途に使用可能な遮蔽構造体となることを見出した。
【特許文献１】特開２０００−１６０８５４号公報
【特許文献２】実開昭５４−９４００４号公報
【特許文献３】実公昭５９−４２６２９号公報
【特許文献４】実開昭６２−１１８７０２号公報
【発明の開示】
【発明が解決しようとする課題】
【０００７】
本発明は、上記問題点に鑑みてなされたものであり、様々な用途に使用することが可能な新規な分割展開可能遮蔽構造体を提供することを目的とする。
【課題を解決するための手段】
【０００８】
上記課題を解決するために、本発明の分割展開可能遮蔽構造体は、一つのまとまった形状を成すように組み合わせ可能な複数のピース体からなり、前記ピース体が側面パネルと該側面パネルの上端部に当接されて設けられた天蓋部材とを有し、必要に応じて分割又は展開状態に構成されることを特徴とする。
【０００９】
前記天蓋部材には、例えば無数のパンチング穴を開穿しておけば、該天蓋部材に様々な物を吊り下げることが可能となる。例えば、パンチング穴にハンガーを吊り下げて、サッカーボールやユニフォームなどを吊り下げることもできる。
【００１０】
前記各ピース体は、分割することにより、それぞれ独立して使用することが可能である。
【００１１】
前記一つのまとまった形状としては、筒体形状であるのが好ましい。
【００１２】
前記筒体の上部平面形状としては、円又は多角形が好ましく、多角形としては例えば六角形や八角形が好適に用いられる。
【００１３】
また、前記側面パネルが透明であり、前記分割展開可能遮蔽構造体の内部が外部から視認可能に構成するのが好ましい。側面パネルには、例えば、アクリル板、ガラスなどが好適に使用でき、その他にも種々のプラスチックなどの材料を用いることが可能である。
【００１４】
前記ピース体が、前記側面パネルに当接して設けられた少なくとも一つの棚板部材を有し、商品陳列棚として機能するように構成することもできる。この場合、各ピース体を独立して商品陳列棚として使用することも可能であるし、後述するように、互いに連結させて全体として一つの商品陳列棚とすることもできる。この場合、前記棚板部材を低い位置に設置すれば、子供、老人、身体障害者の方でも、陳列棚が低いのですぐに商品を手に取ることが可能となる。また、本発明の分割展開可能遮蔽構造体は、各ピース体がそれぞれ展開可能とされているオープンタイプであるので、子供、老人、身体障害者の方でも、実際の商品を簡単に手に取ることができる。
【００１５】
さらに、前記側面パネルに宣伝広告機能をもたせることも可能である。例えば、有機エレクトロルミネッセンスを利用して側面パネルを発光せしめ、種々の広告を側面パネル上に映し出すことなどが可能である。
【００１６】
前記分割展開可能遮蔽構造体を複数の前記ピース体に分割するにあたり、その分割の割合については特別の限定はないが、前記分割展開可能遮蔽構造体を等分割して前記ピース体とすると、前記ピース体のサイズが一律となるため、使い勝手がよいという利点がある。
【００１７】
また、前記ピース体の下部に脚輪部材を設け、前記ピース体が移動可能に構成されるのが好ましい。このように構成すれば、各ピース体を移動させるのが容易になるので、各ピース体の展開がスムーズに行うことができる。さらに、各ピース体を組み合わせた状態にある分割展開可能遮蔽構造体全体の移動がスムーズになるという利点がある。
【００１８】
前記ピース体は、回転軸部材を介して少なくともその一端が回動可能に互いに連結されてなるように構成することができる。すなわち、このように構成すれば、各ピース体が互いに離れることがなく、かつ各ピース体を互いに展開することにより、様々な態様での使用が可能となる。
【００１９】
さらに、複数の前記ピース体のうちいずれかが少なくともその一端が回動可能に互いに連結されてなる基端ピース体とされ、複数の前記ピース体のうちいずれかが少なくともその他端が回動可能に互いに連結されてなる他端ピース体とされ、前記基端ピース体及び前記他端ピース体のそれぞれ連結されない側の端部に分割展開可能遮蔽構造体を閉塞するための閉塞部材をそれぞれ設け、前記分割展開可能遮蔽構造体を閉塞可能とする構成を採用することができる。このように構成すれば、分割展開可能遮蔽構造体は一つのまとまった閉塞構造体として機能し、防犯上すぐれた効果を発揮するし、例えば個室ブースや簡易休憩室といった使い方も可能となる。
【００２０】
本発明の分割展開可能遮蔽構造体は、様々な用途に使用可能である。例えば、種々の展示会における展示ブースや個室ブース、簡易休憩室、簡易個室などにも使用できるし、空気清浄機能を設ければ空気清浄機能付分煙室としても使用可能である。また、例えば携帯電話などの商品販売ブース、商品陳列棚、パーティションなどとしても使用可能である。さらに、各ピース体を分離独立させて使用すれば、各々がそれぞれ独立した商品陳列棚やパーティションともなる。
【００２１】
また、本発明の分割展開可能遮蔽構造体は、遮蔽状態から展開状態へと簡単に変化させることができるし、展開状態で商品を展示した場合には、オープンタイプとなっているので、子供、老人、身体障害者の方でも商品を簡単に実際に手に取ることができる。
【発明の効果】
【００２２】
本発明によれば、さまざまな用途に使用することが可能な分割展開可能遮蔽構造体を提供することができるという著大な効果を奏する。
【発明を実施するための最良の形態】
【００２３】
以下に本発明の実施の形態を添付図面に基づいて説明するが、本発明の技術思想から逸脱しない限りこれらの実施の形態について種々の変更又は変形が可能なことは言うまでもない。
【００２４】
図１は本発明の第一の態様を示す上部平面概略図、図２は図１から複数のピース体を展開した状態の上部平面外略図、図３は図２の展開状態の正面図、図４は図２の展開状態の斜視図、図５は図４のＶ部分の要部拡大図、図６は図４のＶＩ部分の要部拡大図、図７は図４のＶＩＩ部分の要部拡大図、図８（ａ）（ｂ）はそれぞれ図４のＶＩＩＩ（ａ）部分及びＶＩＩＩ（ｂ）部分の要部拡大図、図９は複数の支柱を取り付けた展開状態の斜視図、図１０は遮蔽状態の斜視図、図１１（ａ）（ｂ）（ｃ）（ｄ）は、分割展開可能遮蔽構造体の様々な分割の仕方を示す上部平面図である。
【００２５】
図１〜図１０において、符号１０ａは、本発明の分割展開可能遮蔽構造体の一つの実施の形態を示す。分割展開可能遮蔽構造体１０ａは、一つのまとまった形状を成すように組み合わせ可能な複数のピース体１６ａからなり、前記ピース体１６ａが側面パネル１２ａと該側面パネル１２ａの上端部に当接されて設けられた天蓋部材１４ａとを有し、必要に応じて分割又は展開状態に構成されている。分割展開可能遮蔽構造体１０ａは、図１及び図１０に示すように、一つのまとまった形状が円筒状とされている。
【００２６】
図示例では、側面パネル１２ａには透明なアクリル板を使用した。これにより、分割展開可能遮蔽構造体１０ａの内部が外部から視認可能とされている。また、側面パネル１２ａに宣伝広告機能をもたせることも可能である。例えば、有機エレクトロルミネッセンスを利用して側面パネル１２ａを発光せしめ、種々の広告を側面パネル１２ａ上に映し出すことなどが可能である。
【００２７】
また、分割展開可能遮蔽構造体１０ａは、図１〜図１０によく示される如く、４等分に分割して４つのピース体１６ａとされている。図１に示した上部平面によく示される如く、分割展開可能遮蔽構造体１０ａの上部平面形状は円とされている。
【００２８】
分割展開可能遮蔽構造体１０ａを分割して展開すると図２のようになる。この展開の仕方が様々に考えられ、例えば、図９に示すように半分程度展開する使い方もできる。各ピース体１６ａを図２のように完全に展開してしまう必要はない。あくまでも、設置場所のスペースや商品の配置、利用する者の使い勝手などを考慮して様々に展開すればよいものである。
【００２９】
また、図示例では、回転軸部材１８ａを介して各ピース体１６ａの一端が回動可能に互いに連結されて構成されている。このように構成すれば、各ピース体１６ａが互いに離れることがなく、かつ各ピース体１６ａを互いに展開することにより、様々な態様での使用が可能となる。回転軸部材１８ａとして蝶番を用いて各ピース体１６ａを回動可能に互いに連結した例を示したが、回転軸部材１８ａによって各ピース体１６ａを連結する構成を採用せずに、各ピース体１６ａから回転軸部材１８ａをなくして各ピース体１６ａをそれぞれ分離独立して使用する構成を採用することができることは勿論である。
【００３０】
分割展開可能遮蔽構造体１０ａの天蓋部材１４ａには、無数のパンチング穴２０が開穿されている。天蓋部材１４ａには必ずしもパンチング穴２０を設ける必要はないが、設けた場合には、パンチング穴２０に種々の展示品や商品を吊り下げることなどが可能となる。
【００３１】
また、図示の例では、図３によく示される如く、各ピース体１６ａの下部に脚輪部材２２を設け、ピース体１６ａが移動可能に構成されている。脚輪部材２２としては従来公知のキャスター部材が使用できる。これにより、各ピース体１６ａを移動して展開させるのが容易になるのみならず、分割展開可能遮蔽構造体１０ａ全体の移動がスムーズになる。
【００３２】
さらに、図示の例では、棚板部材２４ａ〜２４ｃが側面パネル１２ａに当接して設けられており、商品陳列棚として機能している。なお、符号２６ａ及び２６ｂは棚板部材２４ａ〜２４ｃに当接して設けられた横板部材を示す。このように、棚板部材２４ａ〜２４ｃは商品陳列棚として機能するが、分割展開可能遮蔽構造体１０ａの用途によっては、例えば棚板部材２４ａを腰掛けとして利用することもできる。
【００３３】
図７によく示される如く、天蓋部材１４ａの端部にはアンカーボルト２８が設けられている。このアンカーボルト２８を設けておけば分割展開可能遮蔽構造体１０ａを運搬したりする際に、クレーンなどで吊り上げることができるので便利である。
【００３４】
図示した複数のピース体１６ａのうち、一つはその一端が回動可能に互いに連結されてなる基端ピース体３０とされ、複数のピース体１６ａのうち、もう一つはその他端が回動可能に互いに連結されてなる他端ピース体３２とされている。そして、基端ピース体３０及び他端ピース体３２の連結されない側の端部には分割展開可能遮蔽構造体１０ａを閉塞するための閉塞部材３４ａ，３４ｂがそれぞれ設けられており、分割展開可能遮蔽構造体１０ａが閉塞可能とされている。このように構成すれば、分割展開可能遮蔽構造体は一つのまとまった閉塞構造体として機能し、防犯上すぐれた効果を発揮するし、例えば個室ブースや簡易休憩室といった使い方も可能となる。
【００３５】
閉塞部材の構成としては、様々なものが考えられるが、一例として、図８（ａ），（ｂ）によく示されるような閉塞部材３４ａ，３４ｂを用いた。閉塞部材３４ａの取っ手３６を回転させると閉塞部材３４ａの先端部が回動突出し、閉塞部材３４ｂの長穴へと挿入されて係止される仕組みとなっている。閉塞部材としては従来公知の種々の錠前やロックシステムが適用でき、例えば、一般的なシリンダー錠や南京錠などでも適用可能なことはいうまでもない。
【００３６】
また、図９では、複数の支柱３８を天蓋部材１４ａと棚板部材２４ａとの間に取り付けた例を示した。このように、複数の支柱３８を取り付けると各ピース体１６ａの剛性が上がるため、必要に応じて適宜取り付ければよい。
【００３７】
本発明の分割展開可能遮蔽構造体の上部平面形状は円に限らずに様々な形状のものが適用できるが、例えば、図１１によく示されるような形状でもよい。図１１（ａ）は、分割展開可能遮蔽構造体１０ｂの上部平面形状が六角形であり、分割展開可能遮蔽構造体１０ｂを３分割して各ピース体１６ｂとしたもの、図１１（ｂ）は、分割展開可能遮蔽構造体１０ｃの上部平面形状が八角形であり、分割展開可能遮蔽構造体１０ｃを３分割して各ピース体１６ｃとしたもの、図１１（ｃ）は、分割展開可能遮蔽構造体１０ｄの上部平面形状が円であり、分割展開可能遮蔽構造体１０ｄを２分割して各ピース体１６ｄとしたもの、図１１（ｄ）は、分割展開可能遮蔽構造体１０ｅの上部平面形状が円であり、分割展開可能遮蔽構造体１０ｅを３分割して各ピース体１６ｅとしたものである。
【００３８】
なお、図１１において、符号１２ｂ〜１２ｅは側面パネルを、符号１４ｂ〜１４ｅは天蓋部材を、符号１８ｂ〜１８ｅは回転軸部材をそれぞれ示す。このように、分割の仕方は様々に考えられるので、必ずしも分割展開可能遮蔽構造体を等分割して各ピース体を構成する必要はない。
【図面の簡単な説明】
【００３９】
【図１】本発明の第一の態様を示す上部平面概略図である。
【図２】図１から複数のピース体を展開した状態の上部平面外略図である。
【図３】図２の展開状態の正面図である。
【図４】図２の展開状態の斜視図である。
【図５】図４のＶ部分の要部拡大図である。
【図６】図４のＶＩ部分の要部拡大図である。
【図７】図４のＶＩＩ部分の要部拡大図である。
【図８】（ａ）（ｂ）はそれぞれ図４のＶＩＩＩ（ａ）部分及びＶＩＩＩ（ｂ）部分の要部拡大図である。
【図９】複数の支柱を取り付けた展開状態の斜視図である。
【図１０】遮蔽状態の斜視図である。
【図１１】（ａ）（ｂ）（ｃ）（ｄ）は、分割展開可能遮蔽構造体の様々な分割の仕方を示す上部平面図である。
【符号の説明】
【００４０】
１０ａ〜１０ｅ：本発明の分割展開可能遮蔽構造体、１２ａ〜１２ｅ：側面パネル、１４ａ〜１４ｅ：天蓋部材、１６ａ〜１６ｅ：ピース体、１８ａ〜１８ｅ：回転軸部材、２０：パンチング穴、２２：脚輪部材、２４ａ〜２４ｃ：棚板部材、２６ａ,２６ｂ：横板部材、２８：アンカーボルト、３０：基端ピース体、３２：他端ピース体、３４ａ，３４ｂ：閉塞部材、３６：取っ手、３８：支柱。
【図１】
2007231511.tif 000003
【図２】
2007231511.tif 000004
【図３】
2007231511.tif 000005
【図４】
2007231511.tif 000006
【図５】
2007231511.tif 000007
【図６】
2007231511.tif 000008
【図７】
2007231511.tif 000009
【図８】
2007231511.tif 000010
【図９】
2007231511.tif 000011
【図１０】
2007231511.tif 000012
【図１１】
2007231511.tif 000013